(57)【要約】パケットデータ転送モードで動作中の移動局がセル再選択の際に失うデータの影響を軽減する方法及び装置。移動局は、都市部に位置しているときは、移動局が静止したままでも、セル再選択を毎分２〜４回実施する。移動局は通信ネットワーク（１００）中を移動している際に、様々なセルの境界とルーティングエリアの境界とを横切る。更に、移動局はプッシュトゥトークモードで動作中に、新しいミューティングのエリアのセルを再選択するときにデータを８秒分まで失う恐れがある。サービスセルが情報要素（３０１、３０３、３０５）を送信し、移動局が、その移動局の近隣リストのセルがその移動局のサービスセルと同一のルーティングエリアにあるかどうかを知らされる。サービスセルへの無線リンクが満足できる状態であれば、移動局はサービスセルのルーティングエリア外のセルの再選択を回避する。
2007503762.tif 000002
【特許請求の範囲】
【請求項１】
移動局がサービスセルと通信することによるセル再選択の方法であって、
前記サービスセルから、所定のセットの近隣セルの各々のルーティングエリアに対応したインジケータを持つ情報要素を受信する工程と、
近隣セルのルーティングエリアと前記サービスセルのルーティングエリアとを比較する工程と、
前記近隣セルのルーティングエリアと前記サービスセルのルーティングエリアとの比較に応答して、再選択の判断を実行する工程と、
を含む方法。
【請求項２】
前記近隣セルのルーティングエリアが前記サービスセルのルーティングエリアと異なる場合に、再選択の判断を実行する工程が前記サービスセルとの接続を維持する工程を含む、請求項１に記載の方法。
【請求項３】
請求項１に記載の方法であって、
前記移動局がパケットデータ転送モードで動作していることを判定する工程を更に含む方法。
【請求項４】
請求項１に記載の方法であって、
前記移動体がプッシュトゥトークモードで動作していることを判定する工程を更に含む方法。
【請求項５】
請求項１に記載の方法であって、
無線リンクバジェット基準が、前記サービスセルが満たしているかどうかを判定する工程を更に含む方法。
【請求項６】
前記情報要素が、ＳＩ２メッセージ、ＳＩ２ｂｉｓメッセージ、ＳＩ５メッセージ、ＳＩ５ｂｉｓメッセージのうちの一つとして、前記サービスセルから前記移動局に送信される請求項１に記載の方法。
【請求項７】
前記情報要素が少なくとも２オクテットの真／偽インジケータを含み、真の表示が、近隣セルのルーティングエリアが前記サービスセルのルーティングエリアと同一であることに対応している請求項１に記載の方法。
【請求項８】
移動局がサービスセルと通信することによるセル再選択の方法であって、
前記サービスセルから、近隣セルの各々のルーティングエリアに対応したインジケータを持つ情報要素を受信する工程と、
前記近隣セルの再選択の時間遅延を推定する工程と、
前記再選択の時間遅延と所定のしきい値とを比較する工程と、
前記再選択の時間遅延と前記しきい値との比較に対応して再選択の判断を実行する工程と、を含む方法。
【請求項９】
前記近隣セルの前記再選択の時間遅延が前記しきい値を上回っている場合に、再選択の判断を実行する工程が前記サービスセルとの接続を維持する工程を含む請求項８に記載の方法。
【請求項１０】
請求項８に記載の方法であって、
前記移動局がパケットデータ転送モードで動作していることを判定する工程を更に含む方法。
【請求項１１】
請求項８に記載の方法であって、
前記移動体がプッシュトゥトークモードで動作していることを判定する工程を更に含む方法。
【請求項１２】
請求項８に記載の方法であって、
無線リンクバジェット基準を前記サービスセルが満たしているかどうかを判定する工程を更に含む方法。
【請求項１３】
前記情報要素が、ＳＩ２メッセージ、ＳＩ２ｂｉｓメッセージ、ＳＩ５メッセージ、ＳＩ５ｂｉｓメッセージのうちの一つとして、前記サービスセルから前記移動局に送信される請求項８に記載の方法。
【請求項１４】
前記情報要素が少なくとも２オクテットの真／偽インジケータを含み、真の表示が、所定の近隣セルのルーティングエリアが、前記サービスセルのルーティングエリアに対する時間遅延が推定されるルーティングエリアであることに対応している請求項８に記載の方法。
【請求項１５】
移動局がサービスセルと通信することによるセル再選択の方法であって、
前記サービスセルから、パケット転送モード動作用無線リンクバジェット基準を受信する工程と、
前記無線リンクバジェット基準を前記サービスセルが満たしているかどうかを判定する工程と、
前記無線リンクバジェット基準を前記サービスセルが満たしているかどうかが判定されたことに応えて再選択の判断を実行する工程と
を含む方法。
【請求項１６】
前記基準を満たしている場合に、再選択の判断を実行する工程が前記サービスセルとの接続を維持する工程を含む、請求項１５に記載の方法。
【請求項１７】
請求項１５に記載の方法であって、
前記移動局がパケット転送モードで動作しているかどうかを判定する工程を更に含む方法。
【請求項１８】
請求項１５に記載の方法であって、
前記移動局がプッシュトゥトークのモードで動作しているかどうかを判定する工程を更に含む方法。
【請求項１９】
近隣リスト無線基地局がルーティングエリアに関連しているかどうかを表示する為の情報要素を送信するよう構成可能な少なくとも一つの無線基地局と、
前記情報要素を受信するよう、且つ、前記情報要素に基づいてセル再選択を回避するよう構成可能な少なくとも一つの移動局と、を備えた通信システム。
【請求項２０】
前記情報要素が、近隣リスト無線基地局が、前記少なくとも一つの基地局トランシーバと同一のルーティングエリア内に設置されていることを表示する請求項１９に記載の通信システム。
【請求項２１】
前記情報要素が、ＳＩ２メッセージ、ＳＩ２ｂｉｓメッセージ、ＳＩ５メッセージ、ＳＩ５ｂｉｓメッセージの一つとして送信される請求項１９に記載の通信システム。
【請求項２２】
前記情報要素が少なくとも２オクテットの真／偽インジケータを含み、真の表示が、所定の近隣リスト無線基地局のルーティングエリアが前記無線基地局のルーティングエリアと同一であることに対応している、請求項１９に記載の通信システム。
【請求項２３】
前記真／偽インジケータが単一のビットインジケータである請求項１９に記載の通信システム。
【請求項２４】
モード特定無線リンクバジェットパラメータを送信するよう構成可能な少なくとも一つの無線基地局と、
前記モード特定無線リンクバジェットパラメータを受信するよう、且つ、前記モード特定無線リンクバジェットパラメータに基づいてセル再選択を実施するかどうかを判定するよう構成可能な少なくとも一つの移動局と、を含む通信システム。
【請求項２５】
前記モード特定無線リンクバジェットパラメータがパケットデータ転送モード用無線リンクバジェットパラメータである請求項２４に記載の通信システム。
【請求項２６】
移動局がサービスセルと通信することにより再選択の基準を選択する方法であって、
前記移動局の端末モードがパケットデータモードとプッシュトゥトークモードのうちの一方かどうかを判定する工程と、
前記移動局のモードが前記パケットデータモードであると判定されたことに応えて第１の再選択処理を実行する工程と、
前記移動局のモードが前記プッシュトゥトークモードであると判定されたことに応えて第２の再選択処理を実行する工程と、を含む方法。
【請求項２７】
第１の再選択処理を実行する工程が、所定の近隣セルのルーティングエリアが前記サービスセルのルーティングエリアに関連しているかどうかを判定する工程を含む、請求項２６に記載の方法。
【請求項２８】
第１の再選択処理を実行する工程が、前記近隣セルのルーティングエリアが前記サービスセルのルーティングエリアと違う場合に、前記サービスセルとの接続を維持する工程を更に含む請求項２７に記載の方法。
【請求項２９】
第１の再選択処理を実行する工程が、所定の近隣セルの再選択の時間遅延を推定する工程と、前記時間遅延が所定のしきい値を上回っているかどうかを判定する工程とを含む、請求項２６に記載の方法。
【請求項３０】
第１の再選択処理を実行する工程が、前記近隣セルの前記再選択の時間遅延が前記しきい値を上回っている場合に前記サービスセルとの接続を維持する工程を更に含む、請求項２９に記載の方法。
【請求項３１】
移動局がサービスセルと通信することにより再選択の基準を選択する方法であって、
前記移動局の端末モードがパケットデータモードとプッシュトゥトークモードのうちの一方かどうかを判定する工程と、
前記移動局のモードが前記パケットデータモードであると判定されたことに応えて第１の再選択処理を実行する工程と、
前記移動局のモードが前記プッシュトゥトークモードであると判定されたことに応えて第２の再選択処理を実行する工程と、を含む方法。
【請求項３２】
第２の再選択処理を実行する工程が、所定の近隣セルのルーティングエリアが前記サービスセルのルーティングエリアに関連しているかどうかを判定する工程を含む請求項３１に
記載の方法。
【請求項３３】
第２の再選択処理を実行する工程が、前記近隣セルの前記ルーティングエリアが前記サービスセルの前記ルーティングエリアと違う場合に前記サービスセルとの接続を維持する工程を更に含む、請求項３２に記載の方法。
【請求項３４】
第２の再選択処理を実行する工程が、所定の近隣セルの再選択の時間遅延を推定する工程と、前記時間遅延が所定のしきい値を上回っているかどうかを判定する工程とを含む、請求項３１に記載の方法。
【請求項３５】
第２の再選択処理を実行する工程が、前記近隣セルの前記再選択の時間遅延が前記しきい値を上回っている場合に前記サービスセルとの接続を維持する工程を更に含む、請求項３４に記載の方法。
【発明の詳細な説明】
【技術分野】
【０００１】
本発明は一般に、無線通信システムの分野に関し、特には、パケットデータ通信システムにおける移動の影響を軽減する方法及び装置に関する。
【背景技術】
【０００２】
ＧＳＭ（移動通信グローバルシステム、Ｇｌｏｂａｌ  Ｓｙｓｔｅｍ  ｆｏｒ  Ｍｏｂｉｌｅ  Ｃｏｍｍｕｎｉｃａｔｉｏｎ）と、ＧＰＲＳ（汎用パケット無線サービス、Ｇｅｎｅｒａｌ  Ｐａｃｋｅｔ  Ｒａｄｉｏ  Ｓｅｒｖｉｃｅ）と、ＥＤＧＥ（Ｅｎｈａｎｃｅｄ  Ｄａｔａ  ｆｏｒ  Ｇｌｏｂａｌ  Ｅｖｏｌｕｔｉｏｎ）とは、端末から端末へのパケット転送モードにおけるデータの送信及び受信を特定する。ＧＰＲＳ及びＥＤＧＥによって無線リソース及びネットワークリソースを効率的に利用できるのは、データ伝送の特徴が、ｉ）パケットを基礎としており、ｉｉ）間欠的且つ非周期的であり、ｉｉｉ）小規模なデータ転送、例えば５００オクテット未満のデータ転送が比較的頻繁であり、ｉｖ）大規模なデータ転送、例えば数百キロバイトより上のデータ転送が比較的少ない、などの場合である。ユーザの応用には、インターネットブラウザ、電子メール等がある。
【０００３】
ＧＰＲＳの構想の時点では、ＧＰＲＳとＥＤＧＥとを根本的な無線移送メカニズムとして利用するストリーミングやプッシュトゥトーク（ＰＴＴ）は予期されておらず、従って、ＧＲＰＳ／ＥＤＧＥを介したパケットデータ転送用の特定のリアルタイムハンドオーバ手順は存在しない。セルの変更は現在、移動体がアイドルモードの際に単純に移動体にセルを再選択させることにより達成される。このセル再選択法によると、パケット転送モード中の移動局が、あるセルでのパケット転送を中断し、進行中の転送を新しいセルで全面的に再確立することになる。
【０００４】
移動局は通常、ネットワーク内を移動中でも静止したままでも、セル再選択処理を実施する。セルラ通信システムの各無線基地局（ＢＴＳ）は、報知チャネル割り当て（ＢＡ）リストを、報知制御チャネル（ＢＣＣＨ）で報知する、又はパケット報知制御チャネル（ＰＢＣＣＨ）が利用される場合にはＰＢＣＣＨで報知する。移動局はパケット転送モードでは、近隣（ｎｅｉｇｈｂｏｒ）リストとして周知のＢＡリストにより示されたセルのＢＣＣＨ又はＰＢＣＣＨの信号強度を監視し、近隣ＢＣＣＨ又はＰＢＣＣＨの少なくとも一つの無線信号強度表示（ＲＳＳＩ）測定サンプルを全ての時分割多重接続（ＴＤＭＡ）フレームで順次得る。移動局は、ＢＣＣＨ又はＰＢＣＣＨ毎に、ＲＳＳＩサンプルの移動平均を５秒間に亘り計算し、これらの算出平均値に基づいてセル再選択の判断をする。
【０００５】
都市部では、移動局が静止したままのときでも、セル再選択が毎分２〜４回行われる。これは主に、移動局がＧＰＲＳ／ＥＤＧＥのパケット転送モード中でも、前述したようなアイドルモードのときと同一の自律的なセル再選択のルールを利用しているからである。従って、サービスセルの到達範囲から外れたという理由ではなく、ある予め定められた期間において近隣のセルがサービスセルより強い無線信号を持っているというだけの理由で、移動局はパケット転送モードでセル再選択を実施する。
【０００６】
このようなパケット転送モードの際のセル再選択法により、データ転送の連続性の問題が引き起こされ、これはＰＴＴなどの用途では特に問題である。例えば、再選択されたセルがサービスセルと同一のルーティングエリア（ＲＡ）にあると仮定すると、データの流れが両方向で（移動局からＢＴＳへも、ＢＴＳから移動局へも）セル再選択により約５００ｍｓ〜約４秒の期間に亘り中断される恐れがある。更に、再選択されたセルがサービス
セルのＲＡとは異なるＲＡ内にある場合、この時間的影響は８秒にまでなる恐れがある。
【発明の開示】
【発明が解決しようとする課題】
【０００７】
従って、求められているものは、パケットデータ通信の際のセル再選択によって生ずるデータ損失の影響を軽減する方法及び装置である。
【課題を解決するための手段】
【０００８】
本発明の第１の態様が、移動局がサービスセルと通信することによるセル再選択の方法である。移動局がサービスセルから、近隣セルのそれぞれのルーティングエリアに対応したインジケータを持つ情報要素を受信する。次に、移動局が、近隣セルのルーティングエリアがサービスセルのルーティングエリアと同一かどうかを判定する。その後、近隣セルのルーティングエリアがサービスセルのルーティングエリアと同一でない場合に、移動局はサービスセルとの接続を維持する。
【０００９】
本発明の第２の態様では、移動局が同様に、サービスセルから、所定のセットの近隣セルのそれぞれのルーティングエリアに対応したインジケータを持つ情報要素を受信する。次に、移動局が、近隣セルのルーティングエリアの提供する再選択の時間遅延が、データ損失を最小にするのに充分かどうかを推定する。その後、近隣セルのルーティングエリアの推定された時間遅延が、サービスセルのルーティングエリアに対して事前設定されたしきい値より大きい場合、移動局はサービスセルとの接続を維持する。
【００１０】
本発明の第３の態様では、移動局がサービスセルからパケット転送モード動作についての無線リンクバジェット基準を受信する。次に、移動局が、無線リンクバジェット基準をサービスセルが満たしているかどうかを判定する。その後、この基準を満たしている場合、移動局はサービスセルとの接続を維持する。
【００１１】
本発明の第４の態様が、一つ以上の無線基地局と一つ以上の移動局とを備えた通信システムである。単数又は複数の無線基地局が、所定の近隣リスト無線基地局が所定のルーティングエリアに関連しているかどうかを表示する為の情報要素を送信するよう構成可能である。単数又は複数の移動局が、その情報要素を受信するよう、且つ、この情報要素に基づいてセル再選択を回避するよう構成可能である。
【００１２】
本発明の第５の態様については、単数又は複数の無線基地局が、所定のモード特定無線リンクバジェットパラメータを送信するよう構成可能である。単数又は複数の移動局が、そのモード特定無線リンクバジェットパラメータを受信するよう、且つ、このモード特定無線リンクバジェットパラメータに基づいてセル再選択を実施するかどうかを判定するよう構成可能である。
【発明を実施するための最良の形態】
【００１３】
図１は、本発明の実施形態の説明に用いる典型的なセルラ通信システムの図である。もちろん、本発明は本実施形態に制限されておらず、広帯域符号分割多重接続（ＷＣＤＭＡ）システムや他の新世代の通信システムなどの他の通信システムにも利用可能である。図１に図示されているように、セルラ通信システム１００が多数のセル１０１〜１１７から成っており、各セルには、無線到達範囲を確立する無線基地局（ＢＴＳ）１２５がある。
【００１４】
更に、セルラ通信システムは一般に階層構造をなしており、この階層構造では、多数のセルが制御エリアにグループ分けされている、及び／又は、更にルーティングエリア（ＲＡ）にグループ分けされている。図１は、仮想のＲＡ１１９、１２１、１２３を図示し、各ＲＡには多数のセルがある。
【００１５】
もちろん、無線到達範囲及びＲＡの幾可学的形状は典型的に、完璧な幾可学的形状ではなく、図１にこのような完璧な幾可学的形状が利用されているのは実例をただ単に簡単にする為である。全般に、ＲＡには、そのＲＡにあるセルの無線到達範囲に相当した境界があるが、ＲＡが不連続的な無線到達範囲に分布している場合もある。いずれにせよ、図１が図示するのは、移動局が位置ｘから位置ｙへの移動中に幾つかのセルの境界を横切ったり幾つかのＲＡの境界を横切ったりすることである。例えば、図１では、移動局が位置ｘから位置ｙへの移動中にＲＡ１２１からＲＡ１１９へと横切る。
【００１６】
移動局が位置ｘから位置ｙへと移動する際に、移動局はセル再選択を実施する。図１に図示されているように、移動局に再選択されたセルが、移動局のサービスセルと同一のＲＡ内にあったりなかったりする。
【００１７】
本発明の第１の実施形態では、セル再選択の作用が、パケットデータ通信、特にＰＴＴサービスで、再選択回避論理により軽減される。移動局が、再選択するかしないかの自律的な判断を、目標セルのＲＡについて知っていることと、目標セルのＲＡが移動局のサービスセルのＲＡと同一かどうかと、に基づいて行う。
【００１８】
図１に戻ると、既存のセル再選択法では、前述されたように、移動局はパケットデータ転送モードでは、ＢＣＣＨ又はＰＢＣＣＨを監視する。移動局は、移動局が監視しなければならないＢＣＣＨキャリアのリストを、近隣セル記述情報要素を受信して得る。この近隣セル記述情報要素により、移動局が監視しなければならない特定のＢＣＣＨキャリアの絶対的な無線周波数チャネルの数が移動局にもたらされる。
【００１９】
この近隣セル記述情報要素を、長さ１７オクテットのタイプ３の情報要素と定義する。図２が近隣セル記述要素の実例である。近隣セル記述要素には、セルのチャネル記述要素が含まれるが、第２のオクテット２０３のビット５及びビット６は除く。オクテット２の２０３のビット５及びビット６は、それぞれ、「ＢＣＣＨ割り当て連続番号表示」（ＢＡ‐ＩＮＤ）と「拡張表示」（ＥＸＴ‐ＩＮＤ）とに対応している。
【００２０】
この近隣セル記述リストには、移動局に対し近隣セルのＲＡを表示する為の手段がない。本発明の実施形態では、近隣セルが近隣セル記述情報要素を送信するセルと同一のＲＡにあるかどうかを示す為に単一のビットが使用されている。この情報が、本発明に従い、「ＲＡＣメンバーシップパラメータ」のデータ構造を持つ「ＲＡＣメンバーシップ要素」の情報要素として定義され送信される。
【００２１】
ビット値１が論理的「真（ＴＲＵＥ）」に対応しており、ビット値１が示すのは、近隣セルが移動局のサービスセルと同一のＲＡ内にあることである。同様に、ビット値０で示される論理的偽が示すのは、近隣セルがサービスセルのＲＡ内にないことである。従って、図１では、位置ｘの移動局が、例えば、セル１０９のＢＣＣＨキャリアからシステム情報（ＳＩ）メッセージを受信する。セル１０９から近隣セル記述情報要素を介して移動局にセル１０５、１０７、１１１、１１３のＢＣＣＨキャリアの数が送信される、と仮定すると、本発明に従って、移動局はセル１０９からＲＡＣメンバーシップ要素も受信する。図１では近隣セル１０５、１０７、１１１、１１３がＲＡ１２１内に設置されており、ＲＡ１２１が、セル１０９を含んだ同一のＲＡなので、各セルのビット値＝真（ＴＲＵＥ）である。本発明には、ＲＡＣメンバーシップ要素が長さ２オクテットのシステム情報タイプ２のデータとして移動局に送信される実施形態もある。近隣リストのＢＣＣＨキャリアのＲＡメンバーシップを示す為に必要なのは１ビットだけなので、２オクテットのデータでＲＡの情報をＢＣＣＨキャリア１６個分まで提供できる。
【００２２】
図３が図示するのは、本発明に係るＲＡＣメンバーシップ情報要素の基本構造である。図３では、オクテット１の３０１が情報要素識別子コードを提供する。オクテット２の３０３とオクテット３の３０５とが合わせて１６データビットを提供し、これにより、近隣セルのＢＣＣＨキャリアを含むタイプ３の近隣リスト情報に対応するＲＡが真（ＴＲＵＥ）かＲＡが偽（ＦＡＬＳＥ）かが表示される。本発明に従い、ＲＡＣメンバーシップ情報要素が、システム情報タイプ２（ＳＩ２）のメッセージ、二つの意味を持つメッセージであるＳＩ２ｂｉｓメッセージ、ＳＩ５メッセージ、ＳＩ５ｂｉｓメッセージとして、ネットワークから移動局へと送信される。更に、第２のオクテット３０３が、２オクテットの表示データより上の送信を必要とする大型のシステムの為にメッセージの長さを規定する為に利用される多数のビットを持つ実施形態もある。
【００２３】
本発明に従い、ＰＴＴを利用中でありパケット転送モードで動作中の移動局が、内部タイマを一時的ブロックフロー（Ｔｅｍｐｏｒａｒｙ  Ｂｌｏｃｋ  Ｆｌｏｗ、ＴＢＦ）の割り当てにセットする場合がある。中でも、本発明の移動局が拡張ＴＢＦモードで動作し、この拡張ＴＢＦモードでは、一時的な停止期間のあいだＴＢＦモードを維持する目的で、ネットワークが移動局に時々「パケットアップリンクＡＣＫ／ＮＡＣＫ（ＰＡＣＫＥＴ
ＵＰＬＩＮＫ  ＡＣＫ／ＮＡＣＫ）」メッセージを送信する。ネットワークの無線リンクの故障を判定する為に使用される移動局のタイマは、パケットアップリンクＡＣＫ／ＮＡＣＫメッセージをネットワークから受け取り次第、起動されるかリセットされる。タイマがリセットされた場合について言えば、移動局はＴＢＦモードのままである。タイマが終了すると、移動局が異常解除を実施しアクセス再試行の手順を開始する。本発明の本実施形態では、この移動局の内部タイマの状態を用いて、移動局のモードがパケットデータ転送モードかどうかを判定する。
【００２４】
移動局のモードがパケットデータ転送モードの場合、ＧＳＭ／ＥＤＧＥ／ＧＰＲＳの仕様に説明されているようなタイマＴ３１８４などのタイマの作動状態により判定された際に、本発明に従い移動局がＲＡＣメンバーシップ情報要素を受信し、それから、図４に図示されているように移動局が自律的なセル再選択回避方式を適用する。
【００２５】
図４では、ブロック４０１で移動局が、セル再選択を実施するかどうかの判定を任意の基準に基づいて開始し、例えば、近隣セルＢＣＣＨのＲＳＳＩが移動局のサービスセルのＲＳＳＩより大きいときに、移動局がセル再選択の実施を開始する。本発明に従い、ブロック４０３で移動局のモードがパケットデータ転送モードかどうかを移動局が判定する。ブロック４０３の判定は、例えば、ＧＳＭ／ＥＤＧＥ／ＧＰＲＳの技術仕様で規定されているタイマである内部タイマＴ３１８４の状態を監視することにより、なされる。タイマが作動状態の場合は、移動局が拡張ＴＢＦモードであり従ってパケットデータ転送モードであると考えることができる。
【００２６】
タイマが終了した場合、又は違う状態で活動していない場合、ブロック４１３のように、移動局がユーザに、セルの接続が切断されたことを、例えば通知音や他の好適な表示などで、通知することがある。その後、ブロック４１５で移動局はセル再選択へと進んでもよい。
【００２７】
再度ブロック４０３を考えると、タイマが作動している場合、ブロック４０５で移動局がＰＴＴモードで動作しているかどうかを移動局が判定する。ＰＴＴモードで動作していない場合、ブロック４１３のように移動局が接続切断を表示し、ブロック４１５でセル再選択へと進む。移動局がＰＴＴモードで動作している場合、移動局が、十分なリンクバジェットがあるかどうか、即ち、サービスセルの無線リンクの無線リンクバジェット基準が満たされているかどうかを判定する。
【００２８】
移動局のリンクバジェット基準の判定に関与した態様が幾つかある。本明細書で前述したとおり、この処理には、一般に、ある期間に亘り各近隣セルのＢＣＣＨのＲＳＳＩの測定と、ＧＳＭ／ＥＤＧＥ／ＧＰＲＳの技術仕様で「ＲＬＡ＿Ｐ」と定義された移動平均の計算が伴う。
【００２９】
このＲＬＡ＿Ｐ値は更に、「Ｃ１」と定義された無線信号パスロス基準を判定する計算に用いられる。ＧＳＭ／ＥＤＧＥ／ＧＰＲＳの技術仕様に従い、Ｃ１基準パラメータを各近隣セルとサービスセルとについて計算する。サービスセルのＣ１パラメータがゼロを下回る場合、移動局が、近隣セルのＣ１値及び他の基準に基づいて、適切な近隣セルを再選択する。
【００３０】
ＧＰＲＳの場合は、Ｃ１に加えて、移動局が更に、パラメータを格付けするセルである「Ｃ３２」と定義されたパラメータを用いる。Ｃ３２値は、Ｃ１などの他の基準パラメータに基づくと二つ以上の近隣セルが等しい優先順位になる場合に、近隣セルの選択に用いられる。移動局がセル再選択をするのは、以下の２つの条件に基づいている。即ち、１）サービスセルのＣ１パラメータがゼロを下回ること、又は、２）ある近隣セルがサービスセルより良いと評価されその近隣セルのＣ３２値が最も大きいことである。
【００３１】
第１の条件がサービスセルの信号強度に基づいており無線経路の良くない状態を示すので、セル再選択が行われてよいはずである。しかし、Ｃ３２パラメータに基づいている第２の条件がそれほど決定的でないので、本明細書で開示された本発明の実施形態によって且つこれに従い修正される。
【００３２】
従って、図４に戻ると、ブロック４０７で、リンクバジェット基準が満たされているかどうかを移動局が判定する。例えば、サービスセルのＣ１値がゼロより低い場合、サービスセルのリンクは満足な状態ではなく移動局はブロック４１３及びブロック４１５へと進み、よって、新しいセルを再選択する。他方において、移動局がより良い近隣セルの基準を測定した場合に、Ｃ３２パラメータの条件にあるときは、その近隣セルのリンクが優れており、ブロック４０９で図示されているように、移動局が、目標セルのＣ３２がサービスセルと同一のＲＡ内にあるかどうかを調べる。前述のように、移動局が、近隣セル記述情報要素の近隣リストで示されたＢＣＣＨキャリアに対応するＲＡＣメンバーシップ情報要素を介して近隣セルのＲＡの状況を知る。
【００３３】
目標セルがサービスセルと同一のＲＡ内にない場合、目標セルについて偽（ＦＡＬＳＥ）のＲＡＣパラメータ値により示されたように、ブロック４１１で移動局はサービスセルへの接続を維持する。目標セルのＲＡがサービスセルのＲＡと同一である場合、ブロック４１３及びブロック４１５で移動局はセル再選択へと進む。
【００３４】
セル再選択を実施するかどうかを判定する手順がブロック４１７で終わる。移動局が、任意の基準に基づいてブロック４０１でこの手順を再び開始してもよいし、別の単一の機能又は複数の機能を実施してもよい。
【００３５】
ここで記載された実施形態の利益が、ＰＴＴ通信中の音声データの損失を低減させるまたはこれを防止し、よって、既知の実装に改善されたＰＴＴ通信システムが提供される。
本発明の第２の実施形態では、ネットワークオペレータが、パケットデータ転送モードの移動局に対し、定義済みのネットワークのパスロスのパラメータにより再選択処理を制御する。第２の実施形態に従って、新しいパラメータを「Ｃ１＿Ｐ」と定義し、このパラメータを移動局が適用するのは、パケットデータ転送モードで動作するときや、ＰＴＴのように頻繁なセル再選択による劣化が激しい用途のときである。
【００３６】
パケットデータ転送モードで動作する移動局はＣ１＿Ｐパラメータをネットワークから受信し、Ｃ１及びＣ３２パラメータを無視し、再選択操作のみをＣ１＿Ｐに基づいて行う。図５が図示するのは、本発明の第２の実施形態の手順である。図５のブロック５０１では、セル再選択を実施するかどうかの判定を任意の基準に基づいて移動局が開始し、例えば、近隣セルＢＣＣＨのＲＳＳＩが移動局のサービスセルのＲＳＳＩより大きいときに、移動局がセル再選択の実施を開始する。この動作は図４のブロック４０１の動作と同様である。
【００３７】
ブロック５０３では、ブロック４０３と同様に、移動局のモードがパケットデータ転送モードかどうかを移動局が判定する。ブロック５０３の判定はブロック４０３の判定と同一である。例えば、移動局が内部タイマＴ３１８４の状態を監視する場合がある。タイマが作動状態の場合は、移動局が拡張ＴＢＦモードであり従ってパケットデータ転送モードであると考えることができる。
【００３８】
タイマが終了した場合、又は違う状態で活動していない場合、ブロック５１３のように、移動局がユーザに、セルの接続が切断されたことを、例えば通知音や他の好適な表示などで、通知することがある。その後、ブロック５１５で移動局はセル再選択へと進んでもよい。
【００３９】
再度ブロック５０３を考えると、タイマが作動している場合、ブロック５０５で移動局がＰＴＴモードで動作しているかどうかを移動局が判定する。ＰＴＴモードで動作していない場合、ブロック５１３のように移動局が接続切断を表示し、ブロック５１５でセル再選択へと進む。移動局がＰＴＴモードで動作している場合、移動局がサービスセルの無線リンクの無線リンクバジェット基準が満たされているかどうかを判定する。
【００４０】
ブロック５０７では、ブロック５０９でリンクバジェットの判定がＣ１＿Ｐに基づいてなされるように、移動局がＣ１＿Ｐパラメータを受信していなければならない。ブロック５０７で移動局がパラメータを受信していない場合、又は、ブロック５０９でサービスセルのリンクが満足な状態ではないと分かった場合、移動局はセル再選択ブロック５１３及び５１５へと進む。他方において、ブロック５０７でＣ１＿Ｐを受信済みの場合、且つ、ブロック５０９でサービスセルの無線リンクが満足な状態を保っている場合、ブロック５１１で移動局は自身の現在のサービスセルとの接続を維持する。
【００４１】
セル再選択を実施するかどうかを判定する手順がブロック５１７で終わる。移動局が、任意の基準に基づいてブロック５０１でこの手順を再び開始してもよいし、別の単一の機能又は複数の機能を実施してもよい。
【００４２】
もちろん、ブロック５０９の無線リンクの満足な状態の判定は本発明に従ってパラメータＣ１＿Ｐに基づいており、移動局がアイドルモードで使用しているパラメータＣ１とパラメータＣ３２とはブロック５０９では無視される。従って、本発明により、パケット転送モードの移動局用のモード特定セル再選択手順が可能になる。よって、単にアイドルモードのセル再選択手順を用いる移動局とは対照的に、本発明に従って動作する移動局は、特にＰＴＴに関し、改善されたデータ通信を行える。
【００４３】
本発明の好適な実施形態が図示され記載されたが、もちろん、本発明はこのように制限されてはいない。添付の請求項により規定された本発明の精神及び範囲から逸脱することのない、非常に多くの、修正、変更、変形、代用、同等物を、当業者は考え付くであろう。
【図面の簡単な説明】
【００４４】
【図１】複数のセルを有し、セルがルーティングエリアにグループ分けされている無線通信システムを表す図。
【図２】近隣セル記述情報要素のビットマップ形式の図。
【図３】本発明の実施形態に係る、ネットワークの基地局から移動局へと送信されたデータオクテットのビットマップ形式の図。
【図４】本発明の実施形態に係る自律的なセル再選択の回避を表すフロー図。
【図５】本発明の実施形態に係るネットワークのパラメータに基づいている特殊なセル再選択パケットデータモードを表すフロー図。
【図１】
2007503762.tif 000003
【図２】
2007503762.tif 000004
【図３】
2007503762.tif 000005
【図４】
2007503762.tif 000006
【図５】
2007503762.tif 000007
【国際調査報告】
2007503762.tif 000008